(57)【要約】【課題】機器管理装置などにおけるアラートの確認作業がより迅速にできるようにする。【解決手段】  表示項目選択部１０３は、アラート取得部１０２により取得されたアラート情報より、設定された条件により表示対象とする診断項目を選択する。例えば、表示項目選択部１０３は、アラートが発生している診断項目を選択することを条件として設定している。この条件設定により、アラートが発生していない診断項目は、表示されないようになる。【選択図】  図１
2015087992.tif 000002
【特許請求の範囲】
【請求項１】
管理対象の複数の機器のそれぞれに発生したアラートを一覧で表示部に表示する機器状態表示装置であって、
前記機器を一意に特定する機器識別情報，前記機器の診断項目，前記機器の前記診断項目で発生したアラートの種別を示すアラート種別情報を含む前記機器に関して発生したアラートに関するアラート情報を蓄積するアラート履歴記憶部と、
前記アラート履歴記憶部から、前記アラート情報を取得するアラート取得部と、
前記アラート取得部により取得された前記アラート情報より、設定された条件により表示対象とする診断項目を選択する表示項目選択部と、
前記アラート取得部により取得された前記アラート情報に基づいて、前記機器の前記表示項目選択部に選択された各診断項目に発生したアラート情報の一覧を前記表示部に表示する表示制御部と
を備えることを特徴とする機器状態表示装置。
【請求項２】
請求項１記載の機器状態表示装置において、
前記表示項目選択部は、アラートが発生している診断項目を選択することを前記条件として設定していることを特徴とする機器状態表示装置。
【請求項３】
請求項１または２記載の機器状態表示装置において、
前記表示項目選択部は、前記機器の運用状態に対応した診断項目を、前記運用状態により選択することを前記条件として設定していることを特徴とする機器状態表示装置。
【請求項４】
請求項１〜３のいずれか１項に機器状態表示装置において、
ユーザの操作による選択条件を受け付ける入力部を備え、
前記表示項目選択部は、ユーザの操作により前記入力部より入力された選択条件で設定された診断項目を選択することを前記条件として設定している特徴とする機器状態表示装置。
【請求項５】
管理対象の複数の機器のそれぞれに発生したアラートを一覧で表示部に表示する機器状態表示装置であって、
前記機器を一意に特定する機器識別情報，前記機器の診断項目，前記機器の前記診断項目で発生したアラートの種別を示すアラート種別情報を含む前記機器に関して発生したアラートに関するアラート情報を蓄積するアラート履歴記憶部と、
前記アラート履歴記憶部から、前記アラート情報を取得するアラート取得部と、
前記アラート取得部により取得された前記アラート情報より、設定された表示対象とする機器を選択する表示機器選択部と、
前記アラート取得部により取得された前記アラート情報に基づいて、前記表示機器選択部で選択された前記機器の各診断項目に発生したアラート情報の一覧を前記表示部に表示する表示制御部と
を備えることを特徴とする機器状態表示装置。
【請求項６】
管理対象の複数の機器のそれぞれに発生したアラートを一覧で表示部に表示する機器状態表示方法であって、
前記機器を一意に特定する機器識別情報，前記機器の診断項目，前記機器の前記診断項目で発生したアラートの種別を示すアラート種別情報を含む前記機器に関して発生したアラートに関するアラート情報を蓄積するアラート履歴記憶部から、前記アラート情報を取得するアラート取得ステップと、
前記アラート取得ステップで取得された前記アラート情報より、設定された条件により表示対象とする診断項目を選択する表示項目選択ステップと、
前記アラート取得ステップで取得された前記アラート情報に基づいて、前記機器の前記表示項目選択ステップで選択された各診断項目に発生したアラート情報の一覧を前記表示部に表示する表示制御ステップと
を備えることを特徴とする機器状態表示方法。
【請求項７】
請求項６記載の機器状態表示方法において、
前記表示項目選択ステップでは、アラートが発生している診断項目を選択することが前記条件として設定されていることを特徴とする機器状態表示方法。
【請求項８】
請求項６または７記載の機器状態表示方法において、
前記表示項目選択ステップでは、前記表示項目選択部は、前記機器の運用状態に対応した診断項目を、前記運用状態により選択することが前記条件として設定されていることを特徴とする機器状態表示方法。
【請求項９】
請求項６〜８のいずれか１項に機器状態表示方法において、
ユーザの操作による選択条件を受け付ける入力ステップを備え、
前記表示項目選択ステップでは、ユーザの操作により前記入力ステップで入力された選択条件で設定された診断項目を選択することが前記条件として設定されていることを特徴とする機器状態表示方法。
【請求項１０】
管理対象の複数の機器のそれぞれに発生したアラートを一覧で表示部に表示する機器状態表示方法であって、
前記機器を一意に特定する機器識別情報，前記機器の診断項目，前記機器の前記診断項目で発生したアラートの種別を示すアラート種別情報を含む前記機器に関して発生したアラートに関するアラート情報を蓄積するアラート履歴記憶部から、前記アラート情報を取得するアラート取得ステップと、
前記アラート取得ステップで取得された前記アラート情報より、設定された表示対象とする機器を選択する表示機器選択ステップと、
前記アラート取得ステップで取得された前記アラート情報に基づいて、前記表示機器選択ステップで選択された前記機器の各診断項目に発生したアラート情報の一覧を前記表示部に表示する表示制御ステップと
を備えることを特徴とする機器状態表示方法。
【発明の詳細な説明】
【技術分野】
【０００１】
本発明は、制御・監視対象の機器の状態を表示する機器状態表示装置および機器状態表示方法に関する。
【背景技術】
【０００２】
例えば、建築物に付帯している各設備の監視制御や、プラントなどの制御には制御システムが用いられ、さらに機器管理装置が用いられている場合がある（特許文献１参照）。例えば、機器管理装置は、フィールドバスなどのネットワークにより接続している現場に設置されたプロセス機器や各種センサなどのフィールド機器との間で信号をやりとりし、例えば、パラメータ設定により較正を行い、また、フィールド機器の動作状態に関する診断結果を表示している。
【０００３】
例えば、図６に示すように、フィールド機器に発生している様々な警報（アラート）を、警報の項目毎に、警報の内容が識別可能なアイコンによって表示している。図６では、１例として、ポジショナにより開度を制御するバルブから構成された調節弁を、管理対象のフィールド機器としている。プロセスにおいては、多数の調節弁が用いられており、これら全ての調節弁について、各項目について、各アラートの有無が一覧で表示される。
【０００４】
例えば、図６の例において、「ＶＴＤＦＬＴ」は、バルブの開度を検出している開度センサの状態を示す項目である。また、「ＴＯＴ−ＡＬＳＴＲＯＫＥ」は、ポジショナの摺動距離の積算値の状態を示す項目である。また、図６の例では、機器識別「ＦＩ１００１」の調節弁において、開度センサに異常（故障）が発生したことがアラートアイコンにより示されている。また、機器識別「ＦＩ１００７」の調節弁において、ポジショナの摺動距離の積算値が、閾値を超えて保守が必要であることがアラートアイコンにより示されている。
【０００５】
なお、アラートアイコンは、図７に示すように、対処の優先順位が第１位であり機器の故障を示すアイコン７０１，優先順位が第２位であり調整中を示すアイコン７０２，優先順位が第３位であり動作条件を逸脱していることを示すアイコン７０３，優先順位が第４位であり保守が必要であることを示すアイコン７０４，優先順位が第５位であり情報があることを示すアイコン７０５，優先順位が第６位でありその他を示すアイコン７０６などがある。
【先行技術文献】
【特許文献】
【０００６】
【特許文献１】特開２０１２−０１４３８８号公報
【発明の概要】
【発明が解決しようとする課題】
【０００７】
ところで、１つの機器で多数の項目がある場合、このような表示を行うディスプレーの表示領域の制限により、全ての項目を一度に表示できないことが発生する。このような場合、アラート一覧表示の領域において、よく知られたスクロール操作により表示領域を遷移させることで、全ての項目について確認できるようにしている。このため、対象となる機器の高機能化により項目が増えると、全ての項目を確認するために、多くのスクロール操作が必要となり、アラートの確認操作に時間を要するという問題があった。
【０００８】
本発明は、以上のような問題点を解消するためになされたものであり、機器管理装置などにおけるアラートの確認作業がより迅速にできるようにすることを目的とする。
【課題を解決するための手段】
【０００９】
本発明に係る機器状態表示装置は、管理対象の複数の機器のそれぞれに発生したアラートを一覧で表示部に表示する装置であって、機器を一意に特定する機器識別情報，機器の診断項目，機器の診断項目で発生したアラートの種別を示すアラート種別情報を含む機器に関して発生したアラートに関するアラート情報を蓄積するアラート履歴記憶部と、アラート履歴記憶部から、アラート情報を取得するアラート取得部と、アラート取得部により取得されたアラート情報より、設定された条件により表示対象とする診断項目を選択する表示項目選択部と、アラート取得部により取得されたアラート情報に基づいて、機器の表示項目選択部に選択された各診断項目に発生したアラート情報の一覧を表示部に表示する表示制御部とを備える。
【００１０】
上記機器状態表示装置において、表示項目選択部は、アラートが発生している診断項目を選択することを条件として設定している。また、表示項目選択部は、機器の運用状態に対応した診断項目を、運用状態により選択することを条件として設定している。また、ユーザの操作による選択条件を受け付ける入力部を備え、表示項目選択部は、ユーザの操作により入力部より入力された選択条件で設定された診断項目を選択することを条件として設定しているようにしてもよい。
【００１１】
本発明に係る他の機器状態表示装置は、管理対象の複数の機器のそれぞれに発生したアラートを一覧で表示部に表示する装置であって、機器を一意に特定する機器識別情報，機器の診断項目，機器の診断項目で発生したアラートの種別を示すアラート種別情報を含む機器に関して発生したアラートに関するアラート情報を蓄積するアラート履歴記憶部と、アラート履歴記憶部から、アラート情報を取得するアラート取得部と、アラート取得部により取得されたアラート情報より、設定された表示対象とする機器を選択する表示機器選択部と、アラート取得部により取得されたアラート情報に基づいて、表示機器選択部で選択された機器の各診断項目に発生したアラート情報の一覧を表示部に表示する表示制御部とを備える。
【００１２】
また、本発明に係る機器状態表示方法は、管理対象の複数の機器のそれぞれに発生したアラートを一覧で表示部に表示する方法であって、機器を一意に特定する機器識別情報，機器の診断項目，機器の診断項目で発生したアラートの種別を示すアラート種別情報を含む機器に関して発生したアラートに関するアラート情報を蓄積するアラート履歴記憶部から、アラート情報を取得するアラート取得ステップと、アラート取得ステップで取得されたアラート情報より、設定された条件により表示対象とする診断項目を選択する表示項目選択ステップと、アラート取得ステップで取得されたアラート情報に基づいて、機器の表示項目選択ステップで選択された各診断項目に発生したアラート情報の一覧を表示部に表示する表示制御ステップとを備える。
【００１３】
上記機器状態表示方法において、表示項目選択ステップでは、アラートが発生している診断項目を選択することが条件として設定されている。また、表示項目選択ステップでは、機器の運用状態に対応した診断項目を、機器の運用状態により選択することが条件として設定されている。また、ユーザの操作による選択条件を受け付ける入力ステップを備え、表示項目選択ステップでは、ユーザの操作により入力ステップで入力された選択条件で設定された診断項目を選択することが条件として設定されているようにしてもよい。
【００１４】
また、本発明に係る他の機器状態表示方法は、管理対象の複数の機器のそれぞれに発生したアラートを一覧で表示部に表示する方法であって、機器を一意に特定する機器識別情報，機器の診断項目，機器の診断項目で発生したアラートの種別を示すアラート種別情報を含む機器に関して発生したアラートに関するアラート情報を蓄積するアラート履歴記憶部から、アラート情報を取得するアラート取得ステップと、アラート取得ステップで取得されたアラート情報より、設定された表示対象とする機器を選択する表示機器選択ステップと、アラート取得ステップで取得されたアラート情報に基づいて、表示機器選択ステップで選択された機器の各診断項目に発生したアラート情報の一覧を表示部に表示する表示制御ステップとを備える。
【発明の効果】
【００１５】
以上説明したように、本発明によれば、設定された条件により表示対象とする診断項目を選択するようにしたので、機器管理装置などにおけるアラートの確認作業がより迅速にできるようになるという優れた効果が得られる。
【図面の簡単な説明】
【００１６】
【図１】図１は、本発明の実施の形態１における機器状態表示装置１００を含む機器管理システムの構成を示す構成図である。
【図２】図２は、本発明の実施の形態１における機器状態表示装置１００による表示例を示す説明図である。
【図３】図３は、本発明の実施の形態１における機器状態表示方法を説明するフローチャートである。
【図４】図４は、本発明の実施の形態２における機器状態表示装置４００を含む機器管理システムの構成を示す構成図である。
【図５】図５は、本発明の実施の形態２における機器状態表示方法を説明するフローチャートである。
【図６】図６は、機器管理装置などで用いられる機器状態表示装置におけるアラート情報の一覧表示の１例を示す説明図である。
【図７】図７は、アラートアイコンの例を示す説明図である。
【発明を実施するための形態】
【００１７】
以下、本発明の実施の形態について図を参照して説明する。
【００１８】
［実施の形態１］
はじめに、本発明の実施の形態１について図１を用いて説明する。図１は、本発明の実施の形態１における機器状態表示装置１００を含む機器管理システムの構成を示す構成図である。このシステムは、機器状態表示装置１００，コントローラ１２０，診断部１２１，複数のフィールド機器１３１を備える。
【００１９】
コントローラ１２０およびフィールド機器１３１は階層関係にある機器であり、コントローラ１２０が上位階層に位置し、フィールド機器１３１がコントローラ１２０の下位階層に位置する。
【００２０】
フィールド機器１３１は、プラントなどに配置される機器であり、例えばフィールドバスを介してコントローラ１２０と双方向に通信する機能を有し、計測結果や自己診断結果などを出力している。フィールドバスは、デジタル信号で双方向通信可能な通信方式のネットワークである。この通信仕様は、フィールドバス協会（Fieldbus Foundation（登録商標））によって、ファウンデーションフィールドバス(Foundation Fieldbus)として規格化（標準化）されている。
【００２１】
フィールド機器１３１としては、例えば、流量，圧力，温度などを検出する各種センサ機器、流量制御弁や圧力制御弁などの各種バルブおよびこれを制御するバルブポジショナ、ガスガバナ、ポンプやファンなどを動作させる各種アクチュエータなどがある。
【００２２】
コントローラ１２０は、下位階層に位置するフィールド機器１３１を統括制御する。コントローラ１２０は、例えば、センサ機器であるいずれかのフィールド機器１３１から取得した流量や圧力などの測定値に基づき、バルブポジショナであるいずれかのフィールド機器１３１を制御することで、いずれかのフィールド機器１３１であるバルブの開度などを制御する。
【００２３】
また、診断部１２１は、フィールド機器１３１より出力される信号をもとに、フィールド機器１３１の状態を診断する。診断部１２１は、例えば、調節弁やガスガバナなどのフィールド機器の接触摩擦部で発生するスティックスリップなどの異常を、フィールド機器より出力される弁体などの変位情報より診断する。
【００２４】
機器状態表示装置１００は、アラート履歴記憶部１０１，アラート取得部１０２，表示項目選択部１０３，表示制御部１０４，項目種別記憶部１０５，機器情報記憶部１０６，表示部１０７，および入力部１０８を備える。機器状態表示装置１００は、上記構成により、管理対象の複数のフィールド機器１３１のそれぞれに各項目に対応して発生したアラートを、一覧で表示部１０７に表示する。なお、アラートは、アラートに対応する指標を、図７を用いた説明と同様に、アイコンで表示する。
【００２５】
アラート履歴記憶部１０１は、フィールド機器１３１などの機器を一意に特定する機器識別情報を蓄積（記憶）する。また、アラート履歴記憶部１０１は、フィールド機器１３１より出力される自己診断結果や診断部１２１より出力される、診断結果などの項目毎に発生したアラートの種別を示す種別情報に関するアラート情報を蓄積する。
【００２６】
アラート取得部１０２は、上述したアラート情報を記憶するアラート履歴記憶部１０１から、アラート情報を取得する。
【００２７】
表示項目選択部１０３は、アラート取得部１０２により取得されたアラート情報より、設定された条件により表示対象とする診断項目を選択する。条件は、例えば、ユーザの操作により入力部１０８より入力されることで設定される。
【００２８】
また、項目種別記憶部１０５は、各項目について、運転中に関するものか停止中に関するものかの運転状態を示す情報を格納している。機器情報記憶部１０６は、コントローラ１２０やフィールド機器１３１に関する機器情報を取得して格納している。
【００２９】
表示制御部１０４は、アラート取得部１０２により取得されたアラート情報に基づいて、フィールド機器の表示項目選択部１０３に選択された各診断項目に発生したアラート情報の一覧を表示部１０７に表示する。
【００３０】
表示項目選択部１０３は、アラートが発生している診断項目を選択することを条件として設定している。この条件設定により、図２に示すように、アラートが発生していない診断項目は、表示されないようになる。このように、表示対象となる項目が減少するので、対象となる項目を１つの画面で一度に表示できる場合も得られるようになる。また、少なくとも、表示項目が減少するので、アラート一覧表示の領域における全ての項目についての確認において、画面の遷移動作を減少させることができるようになる。この結果、アラートの確認操作に要する時間を減少させることができるようになり、機器管理装置などにおけるアラートの確認作業がより迅速にできるようになる。
【００３１】
また、表示項目選択部１０３は、フィールド機器１３１の運用状態に対応した診断項目を、フィールド機器１３１の運用状態により選択することを条件として設定してもよい。診断項目が運用状態に対応している状態は、項目種別記憶部１０５に記憶されている運用状態情報により確認できる。
【００３２】
例えば、表示項目選択部１０３は、運用状態が停止中の項目を選択することを条件として設定していれば、項目種別記憶部１０５に記憶されている運用状態情報をもとに運用状態が停止中の診断項目を選択する。これにより、運用状態が停止中の診断項目が表示されるようになる。
【００３３】
また、例えば、表示項目選択部１０３は、運用状態が運転中の項目を選択することを条件として設定していれば、項目種別記憶部１０５に記憶されている運用状態情報をもとに運用状態が運転中の診断項目を選択する。これにより、運用状態が運転中の診断項目が表示されるようになる。
【００３４】
この条件による制御によっても、表示対象となる項目が減少するので、上述同様に、アラートの確認操作に要する時間を減少させることができるようになり、機器管理装置などにおけるアラートの確認作業がより迅速にできるようになる。
【００３５】
また、表示項目選択部１０３は、ユーザの操作により入力部１０８より入力された選択条件で設定された診断項目を選択することが条件として設定されているようにしてもよい。予め表示対象の診断項目を選択しておくことで、非選択の診断項目は表示されないものとなる。この条件による制御によっても、表示対象となる項目が減少するので、上述同様に、アラートの確認操作に要する時間を減少させることができるようになり、機器管理装置などにおけるアラートの確認作業がより迅速にできるようになる。
【００３６】
なお、機器状態表示装置１００は、例えば、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００３７】
次に、本発明の実施の形態１における機器状態表示装置１００の動作（機器状態表示方法）について、図３のフローチャートを用いて説明する。
【００３８】
まず、ステップＳ３０１で、アラート取得部１０２が、対象となるフィールド機器１３１のアラート情報を、アラート履歴記憶部１０１から取得する。次に、ステップＳ３０２で、上述したことにより取得されたアラート情報より、表示項目選択部１０３が、設定された条件により表示対象とする診断項目を選択する。
【００３９】
例えば、アラートが発生している診断項目を選択することが条件として設定されていれば、アラートが発生していない診断項目は、表示の対象外とする。
【００４０】
また、フィールド機器１３１の運用状態に対応した診断項目を、フィールド機器１３１の運用状態により選択することが、条件として設定されていてもよい。
【００４１】
また、ユーザの操作により入力部１０８より、表示対象の診断項目が選択されていれば、非選択の診断項目は表示の対象外とする。
【００４２】
次に、ステップＳ３０３で、ステップＳ３０１で取得されたアラート情報に基づいて、ステップＳ３０２で選択された各診断項目に発生したアラート情報の一覧を、表示制御部１０４の制御により表示部１０７に表示する。
【００４３】
以上に説明したように、実施の形態１によれば、表示項目選択部１０３により設定された条件で表示対象とする診断項目が選択されるようにしたので、確認対象が限定されるようになり、機器管理装置などにおけるアラートの確認作業がより迅速にできるようになる。
【００４４】
［実施の形態２］
次に、本発明の実施の形態２について図４を用いて説明する。図４は、本発明の実施の形態２における機器状態表示装置４００を含む機器管理システムの構成を示す構成図である。このシステムは、機器状態表示装置４００，コントローラ１２０，診断部１２１，複数のフィールド機器１３１を備える。
【００４５】
コントローラ１２０およびフィールド機器１３１は階層関係にある機器であり、コントローラ１２０が上位階層に位置し、フィールド機器１３１がコントローラ１２０の下位階層に位置する。また、診断部１２１は、フィールド機器１３１より出力された信号をもとに、フィールド機器１３１の状態を診断する。これらの構成は、前述した実施の形態１と同様である。
【００４６】
実施の形態２では、機器状態表示装置４００は、アラート履歴記憶部１０１，アラート取得部１０２，表示機器選択部４０３，表示制御部４０４，表示部１０７，および入力部１０８を備える。機器状態表示装置４００は、上記構成により、管理対象の複数のフィールド機器１３１のそれぞれに発生したアラートを、一覧で表示部１０７に表示する。なお、アラートは、アラートに対応する指標を、図７を用いた説明と同様に、アイコンで表示する。
【００４７】
アラート履歴記憶部１０１は、フィールド機器１３１などの機器を一意に特定する機器識別情報を蓄積（記憶）する。また、アラート履歴記憶部１０１は、フィールド機器１３１より出力される自己診断結果や診断部１２１より出力される、診断結果などの項目毎に発生したアラートの種別を示す種別情報に関するアラート情報を蓄積する。
【００４８】
アラート取得部１０２は、上述したアラート情報を記憶するアラート履歴記憶部１０１から、アラート情報を取得する。
【００４９】
表示機器選択部４０３は、アラート取得部１０２により取得されたアラート情報より、設定された表示対象とするフィールド機器１３１を選択する。表示対象とするフィールド機器１３１は、例えば、ユーザの操作により入力部１０８より入力された指示で設定される。例えば、予め、表示対象のフィールド機器１３１が選択（設定）されていればよい。
【００５０】
表示制御部４０４は、アラート取得部１０２により取得されたアラート情報に基づいて、表示機器選択部４０３で選択された機器の各診断項目に発生したアラート情報の一覧を表示部１０７に表示する。
【００５１】
例えば、管理対象外のフィールド機器１３１が判明していれば、これらは、表示機器選択部４０３の設定で除外しておけばよい。このようにすることで、管理対象外のフィールド機器１３１については、表示されない状態となる。このように、実施の形態２によれば、表示機器選択部４０３に設定された表示の対象となるフィールド機器１３１について表示するようにしたので、確認対象が限定されるようになり、機器管理装置などにおけるアラートの確認作業がより迅速にできるようになる。
【００５２】
なお、機器状態表示装置４００は、例えば、ＣＰＵと主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００５３】
次に、本発明の実施の形態２における機器状態表示装置４００の動作（機器状態表示方法）について、図５のフローチャートを用いて説明する。まず、ステップＳ５０１で、アラート取得部１０２が、対象となるフィールド機器１３１のアラート情報を、アラート履歴記憶部１０１から取得する。次に、ステップＳ５０２で、上述したようにアラート取得部１０２により取得されたアラート情報より、設定された表示対象とするフィールド機器１３１を選択する。
【００５４】
次に、ステップＳ５０３で、ステップＳ５０１でアラート取得部１０２により取得されたアラート情報に基づいて、ステップＳ３０２で表示機器選択部４０３により選択された機器の各診断項目に発生したアラート情報の一覧を、表示制御部１０４の制御により表示部１０７に表示する。
【００５５】
以上に説明したように、実施の形態２によれば、表示機器選択部４０３で選択されたフィールド機器１３１についてアラート情報の一覧が表示されるようにしたので、確認対象を限定することができるようになり、機器管理装置などにおけるアラートの確認作業がより迅速にできるようになる。
【００５６】
なお、本発明は以上に説明した実施の形態に限定されるものではなく、本発明の技術的思想内で、当分野において通常の知識を有する者により、多くの変形および組み合わせが実施可能であることは明白である。例えば、実施の形態１における表示項目選択部１０３は、上述した各条件が、単独で設定されていてもよい。また、表示項目選択部１０３は、上述した各条件が、適宜に組み合わせて設定されていてもよい。
【００５７】
また、実施の形態２の機器状態表示装置４００に、実施の形態１の機器状態表示装置１００における表示項目選択部１０３を組み合わせるようにしてもよい。また、実施の形態２における表示機器選択部４０３に、アラートが発生しているフィールド機器のアラート情報を選択することが条件として設定されているようにしてもよい。この設定によれば、図６を用いて説明したように、アラートが発生しているフィールド機器に関してのみ表示される。
【符号の説明】
【００５８】
１００…機器状態表示装置、１０１…アラート履歴記憶部、１０２…アラート取得部、１０３…表示項目選択部、１０４…表示制御部、１０５…項目種別記憶部、１０６…機器情報記憶部、１０７…表示部、１０８…入力部。
【図１】
2015087992.tif 000003
【図２】
2015087992.tif 000004
【図３】
2015087992.tif 000005
【図４】
2015087992.tif 000006
【図５】
2015087992.tif 000007
【図６】
2015087992.tif 000008
【図７】
2015087992.tif 000009